(57)【要約】【課題】  制御装置から被制御装置の電源状態を制御可能にして、この被制御装置における無駄な電力消費を回避できるようにする。【解決手段】  制御装置１０において、被制御装置４０に対して所定の電源状態（切断状態または低消費電力状態）に制御するための制御コマンドを送信し、上記制御コマンドを送信した後に、自機器の電源を上記所定の電源状態に制御するようにして、被制御装置における無駄な電力消費を回避できるようにする。【選択図】  図１
2005354518.tif 000002
【特許請求の範囲】
【請求項１】
電源の状態を制御される被制御装置と接続された制御装置であって、
上記被制御装置に対して所定の電源状態に制御するための制御コマンドを送信する制御コマンド送信手段と、
上記制御コマンド送信手段で上記制御コマンドを送信した後に、自機器の電源を上記所定の電源状態に制御する電源制御手段とを有することを特徴とする制御装置。
【請求項２】
上記所定の電源状態は、切断状態または低消費電力状態であることを特徴とする請求項１に記載の制御装置。
【請求項３】
上記被制御装置との接続は、無線通信で行われることを特徴とする請求項１又は２に記載の制御装置。
【請求項４】
請求項１〜３のいずれか１項に記載の制御装置と、
上記被制御装置とを含むことを特徴とする電源制御システム。
【請求項５】
上記制御装置とネットワークを介して接続され、上記制御装置に対して電源状態に関する指示を行う電源状態指示装置を更に含み、
上記制御装置は、上記電源状態指示装置から上記指示を受信した場合、上記被制御装置に上記制御コマンドを送信した後に、自機器の電源を上記所定の電源状態にすることを特徴とする請求項４に記載の電源制御システム。
【請求項６】
上記制御装置は、上記電源状態指示装置からアプリケーションを閉じる指示を受信した場合、上記被制御装置に上記制御コマンドを送信した後に、実行中のアプリケーションを閉じ、さらに、自機器の電源を上記所定の電源状態にすることを特徴とする請求項４又は５に記載の電源制御システム。
【請求項７】
上記被制御装置は、自己電源機能を備えていることを特徴とする請求項４〜６のいずれか１項に記載の電源制御システム。
【請求項８】
上記被制御装置は、撮像した画像を記録する撮像画像記録装置であることを特徴とする請求項４〜７のいずれか１項に記載の電源制御システム。
【請求項９】
電源の状態を制御される被制御装置と接続された制御装置で処理する電源制御方法であって、
上記被制御装置に対して、所定の電源状態に制御するための制御コマンドを送信するステップと、
上記制御コマンドを送信した後に、上記制御装置の電源を上記所定の電源状態に制御するステップとを有することを特徴とする電源制御方法。
【請求項１０】
上記所定の電源状態は、切断状態または低消費電力状態であることを特徴とする請求項９に記載の電源制御方法。
【請求項１１】
電源の状態を制御される被制御装置と接続された制御装置で処理する電源制御方法をコンピュータに実行させるためのプログラムであって、
上記被制御装置に対して、所定の電源状態に制御するための制御コマンドを送信する処理と、
上記制御コマンドを送信した後に、上記制御装置の電源を上記所定の電源状態に制御する処理とを有することを特徴とするコンピュータプログラム。
【請求項１２】
請求項１１に記載のコンピュータプログラムを記録したことを特徴とするコンピュータ読み取り可能な記憶媒体。
【発明の詳細な説明】
【技術分野】
【０００１】
本発明は制御装置、電源制御システム及び電源制御方法に関する。
【背景技術】
【０００２】
現在、インターネットを介して遠隔地のビデオカメラを制御するカメラ制御システムが知られている（例えば、特許文献１）。
【０００３】
【特許文献１】特開平１０−４２２７９号公報
【発明の開示】
【発明が解決しようとする課題】
【０００４】
しかしながら、上述の特許文献１では、ビデオカメラの電源状態を制御装置から制御することができなかった。そのため、ビデオカメラにおいて無駄な電力消費をしてしまい、有効な動作環境を提供することができないという問題点があった。また、上述の特許文献１では、制御装置の電源をビデオカメラの電源状態に応じて制御することもできなかった。そのため、制御装置においても無駄な電力が消費されてしまう恐れがあった。
【０００５】
本発明は上述の問題点にかんがみてなされたものであり、制御装置に撮像装置等の被制御装置が接続されている状況において、上記制御装置から上記被制御装置の電源状態を制御可能にして、上記被制御装置における無駄な電力消費を回避できるようにすることを目的とする。
【課題を解決するための手段】
【０００６】
本発明の制御装置は、電源の状態を制御される被制御装置と接続された制御装置であって、上記被制御装置に対して、所定の電源状態に制御するための制御コマンドを送信する制御コマンド送信手段と、上記制御コマンド送信手段で上記制御コマンドを送信した後に、自機器の電源を上記所定の電源状態に制御する電源制御手段とを有する。
【０００７】
本発明の電源制御システムは、上記制御装置と、上記被制御装置とを含む。
【０００８】
本発明の電源制御方法は、電源の状態を制御される被制御装置と接続された制御装置で処理する電源制御方法であって、上記被制御装置に対して、所定の電源状態に制御するための制御コマンドを送信するステップと、上記制御コマンドを送信した後に、上記制御装置の電源を上記所定の電源状態に制御するステップとを有する。
【０００９】
本発明のコンピュータプログラムは、電源の状態を制御される被制御装置と接続された制御装置で処理する電源制御方法をコンピュータに実行させるためのプログラムであって、上記被制御装置に対して、所定の電源状態に制御するための制御コマンドを送信する処理と、上記制御コマンドを送信した後に、上記制御装置の電源を上記所定の電源状態に制御する処理とを有する。
【００１０】
本発明のコンピュータ読み取り可能な記憶媒体は、上記コンピュータプログラムを記録する。
【発明の効果】
【００１１】
本発明の制御装置によれば、被制御装置に対して所定の電源状態に制御するための制御コマンドを送信し、上記制御コマンドを送信した後に、自機器の電源を上記所定の電源状態に制御するようにしたので、制御装置に撮像装置等の被制御装置が接続されている状況において、上記制御装置から上記被制御装置の電源状態を制御することができ、上記被制御装置における無駄な電力消費を回避することができる。
【発明を実施するための最良の形態】
【００１２】
以下、本発明における実施形態を図面に基づいて説明する。
【００１３】
（第１の実施形態）
図１は、第１の実施形態における電源制御システムの一例を示す概略構成図である。
図１に示すように、第１のＰＣ（パーソナルコンピュータ）１０と第２のＰＣ（パーソナルコンピュータ）２０とがインターネット３０によって接続されており、第１のＰＣ１０とＤＶＣ（デジタルビデオカメラ）４０とがＵＳＢ（ユニバーサル・シリアル・バス）５０を介して接続されている。ＤＶＣ４０は、撮像装置の一例である。ＵＳＢ５０は、ＵＳＢ１．１、ＵＳＢ２．０又はこれらに類似した規格に準拠するものである。
【００１４】
図１に示す電源制御システムにおいて、第２のＰＣ２０は、第１のＰＣ１０に対して電源状態に関する指示を行う電源状態指示装置であり、第１のＰＣ１０は、ＤＶＣ４０の電源状態を制御する制御装置である。また、ＤＶＣ４０は、第１のＰＣ１０により電源状態を制御される被制御装置である。
【００１５】
ここで、ＵＳＢ５０によってＤＶＣ４０と接続された第１のＰＣ１０について説明する。
図２は、本実施形態における第１のＰＣ１０（制御装置）の概略構成を示すブロック図である。
図２に示すように、第１のＰＣ１０は、自機器を駆動させるための電源部１１と、第２のＰＣ２０から、自機器のアプリケーションに対してされた電源状態に関するコマンドを受信するコマンド受信部１２と、コマンド受信部１２で受信したコマンドがどのようなコマンドであるかを判定するコマンド判定部１３と、コマンド判定部１３での判定結果に応じて、ＤＶＣ４０の電源状態を制御する制御コマンドを送信するコマンド送信部１４と、コマンド送信部１４から上記制御コマンドをＤＶＣ４０に送信した後に、自機器の電源部１１を所定の電源状態に制御する電源制御部１５とを備えている。なお、コマンド受信部１２、コマンド判定部１３、コマンド送信部１４及び電源制御部１５は、ハードウェアで構成することも、ソフトウェアで構成することも可能である。
【００１６】
図３は、第２のＰＣ２０で実行されるアプリケーションのグラフィカルユーザインターフェースの一例を示す図であり、図４は、第１のＰＣ１０で実行されるアプリケーションのグラフィカルユーザインターフェースの一例を示す図である。
第２のＰＣ２０からは、遠隔操作により図３に示すようなアプリケーションを用いてＤＶＣ４０を遠隔操作することができる。また、第１のＰＣ１０からは、図４に示すようなアプリケーションを用いて、ローカル側でＤＶＣ４０を操作することができる。
【００１７】
次に、第１の実施形態における電源制御システムの動作について説明する。
図５は、第１の実施形態における電源制御システムの動作手順を示すフローチャートである。以下、図５を参照し、第１の実施形態における第１のＰＣ１０の電源とＤＶＣ４０の電源を切断（電源のオフ）またはサスペンド状態（言い換えれば、低消費電力状態）にするまでの全体の流れを説明する。なお、第１の実施形態では、消費される電力が少ない状態のことを「サスペンド状態」と呼ぶ。
【００１８】
まず、ステップＳ００１では、第１のＰＣ１０のコマンド受信部１２において、第２のＰＣ２０のアプリケーションからの電源のオフまたは電源のサスペンドのコマンドを受信する。なお、第２のＰＣ２０のアプリケーションからコマンドを受信する代わりに、自機器のアプリケーションに対してされた電源のオフまたは電源のサスペンドの命令（コマンド）が直接入力される場合もある。
【００１９】
続いて、ステップＳ００２では、第１のＰＣ１０のコマンド判定部１３において、第２のＰＣ２０から受信したコマンドが電源のオフであるかまたは電源のサスペンドであるかを判定する。この判定の結果、受信したコマンドが電源のオフであると判定された場合には、ステップＳ００３に進む。一方、ステップＳ００２での判定の結果、受信したコマンドが電源のサスペンドであると判定された場合には、ステップＳ００８に進む。
【００２０】
ステップＳ００２での判定の結果、受信したコマンドが電源のオフであると判定された場合には、続いて、ステップＳ００３において、ＤＶＣ４０の状態がリモートで第２のＰＣ２０によって制御されている場合や、バッテリー駆動で電力消費を抑えたい場合などの自動的にオフすべき条件であるか否かを判定する。
【００２１】
ステップＳ００３での判定の結果、ＤＶＣ４０の状態が自動的にオフすべき条件でないと判定された場合には、ステップＳ００４に進む。一方、ステップＳ００３での判定の結果、ＤＶＣ４０の状態が自動的にオフすべき条件であると判定された場合には、ステップＳ００５に進む。
【００２２】
続いて、ステップＳ００４では、ＤＶＣ４０の電源のオフにおけるメッセージを表示して、ユーザからＤＶＣ４０の電源のオフが選択されたか否かを判定する。この判定の結果、ユーザからＤＶＣ４０の電源のオフが選択されたと判定された場合には、ステップＳ００５に進む。一方、ステップＳ００４での判定の結果、ユーザからＤＶＣ４０の電源のオフが選択されなかったと判定された場合には、ステップＳ００７に進む。
【００２３】
続いて、ステップＳ００５では、第１のＰＣ１０のコマンド送信部１４において、自機器の電源をオフする前に、ＵＳＢ５０で接続されているＤＶＣ４０に対して電源オフのコマンドを送信する。なお、コマンドとしては、図７に示すように、Universal Serial Bus Device Class Definition for Video Devicesに規定されている、Vendorコマンドを使用するものとする。
【００２４】
続いて、ステップＳ００６では、第１のＰＣ１０の電源制御部１５において、ＤＶＣ４０の電源状態がオフされているか否かを判定する。ここで、電源オフのコマンドを受信したＤＶＣ４０は、電源をオフする前に、第１のＰＣ１０に対して電源をオフすることを割り込み通知する。なお、この割り込み通知のパケット構成の一例を図８に示す。
【００２５】
ステップＳ００６での判定の結果、ＤＶＣ４０の電源状態がオフされていると判定された場合には、ステップＳ００７に進む。一方、ステップＳ００６での判定の結果、ＤＶＣ４０の電源状態がオフされていないと判定された場合には、ＤＶＣ４０の電源状態がオフされるまでステップＳ００６で待機する。
【００２６】
続いて、ステップＳ００７では、割り込み通知を受信した第１のＰＣ１０の電源制御部１５において、において、自機器の電源部１１をオフする。
【００２７】
一方、ステップＳ００２での判定の結果、受信したコマンドが電源のサスペンドであると判定された場合には、続いて、ステップＳ００８において、ＤＶＣ４０の状態がリモートで第２のＰＣ２０によって制御されている場合や、バッテリー駆動で電力消費を抑えたい場合などの自動的に電源のサスペンドすべき条件であるか否かを判定する。
【００２８】
ステップＳ００８での判定の結果、ＤＶＣ４０の状態が自動的に電源のサスペンドすべき条件でないと判定された場合には、ステップＳ００９に進む。一方、ステップＳ００８での判定の結果、ＤＶＣ４０の状態が自動的に電源のサスペンドすべき条件であると判定された場合には、ステップＳ０１０に進む。
【００２９】
続いて、ステップＳ００９では、ＤＶＣ４０の電源のサスペンドにおけるメッセージを表示して、ユーザからＤＶＣ４０の電源のサスペンドが選択されたか否かを判定する。
【００３０】
ステップＳ００９での判定の結果、ユーザからＤＶＣ４０の電源のサスペンドが選択されたと判定された場合には、ステップＳ０１０に進む。一方、ステップＳ００９での判定の結果、ユーザからＤＶＣ４０の電源のサスペンドが選択されなかったと判定された場合には、ステップＳ０１２に進む。
【００３１】
続いて、ステップＳ０１０では、第１のＰＣ１０のコマンド送信部１４において、自機器の電源をオフする前に、ＵＳＢ５０で接続されているＤＶＣ４０に対して電源サスペンドのコマンドを送信する。
【００３２】
続いて、ステップＳ０１１では、第１のＰＣ１０の電源制御部１５において、ＤＶＣ４０の電源状態がサスペンドされているか否かを判定する。ここで、電源サスペンドのコマンドを受信したＤＶＣ４０は、電源をオフする前に、第１のＰＣ１０に対して電源をサスペンドすることを割り込み通知する。
【００３３】
ステップＳ０１１での判定の結果、ＤＶＣ４０の電源状態がサスペンドされていると判定された場合には、ステップＳ０１２に進む。一方、ステップＳ０１１での判定の結果、ＤＶＣ４０の電源状態がサスペンドされていないと判定された場合には、ＤＶＣ４０の電源状態がサスペンドされるまでステップＳ０１１で待機する。
【００３４】
続いて、ステップＳ０１２では、割り込み通知を受信した第１のＰＣ１０の電源制御部１５において、自機器の電源部１１をオフする。
【００３５】
第１の実施形態の電源制御システムによれば、ユーザから第１のＰＣ１０（制御装置）の電源オフの命令を与えられたら、上記ＤＶＣ４０の電源をオフしてから自機器の電源をオフすることができる。また、ユーザから第１のＰＣ１０（制御装置）のサスペンドの命令を与えられたら、上記ＤＶＣ４０の電源をサスペンドしてから自機器の電源をサスペンドすることができる。
【００３６】
（第２の実施形態）
次に、本発明の第２の実施形態を説明する。
第２の実施形態における電源制御システムの概略構成図は、第１の実施形態の図１に示すものと同様である。また、第１のＰＣ１０（制御装置）の概略構成図も図２に示すものと同様である。図１に示すように、第１のＰＣ１０と第２のＰＣ２０とがインターネット３０によって接続されており、第１のＰＣ１０とＤＶＣ４０とがＵＳＢ５０によって接続されている。 第１のＰＣ１０では、図４に示すようなアプリケーションを用いて、ＵＳＢ５０によって接続されているＤＶＣ４０を操作することが可能となっている。また、第２のＰＣ２０は、第１のＰＣ１０のオペレーションシステムをリモートで操作することができる。
【００３７】
次に、第２の実施形態における電源制御システムの動作について説明する。
図６は、第２の実施形態における電源制御システムの動作手順を示すフローチャートである。以下、図６を参照し、第２の実施形態における第１のＰＣ１０の電源とＤＶＣ４０の電源をオフまたはサスペンド状態（言い換えれば、低消費電力状態）にするまでの全体の流れを説明する。なお、第２の実施形態では、消費される電力が少ない状態のことを「サスペンド状態」と呼ぶ。
【００３８】
まず、ステップＳ１０１では、第１のＰＣ１０のコマンド受信部１２において、アプリケーションが立ち上がった状態で、第２のＰＣ２０のアプリケーションからのオペレーションシステム（ＯＳ）の電源のオフの命令（コマンド）、またはオペレーションシステムの電源のサスペンドのコマンド、または立ちあがっているアプリケーションを閉じるコマンドを受信する。なお、第２のＰＣ２０のアプリケーションからコマンドを受信する代わりに、自機器のアプリケーションに対してされたオペレーションシステム（ＯＳ）の電源のオフのコマンド、またはオペレーションシステムの電源のサスペンドのコマンド、または立ちあがっているアプリケーションを閉じるコマンドが直接入力される場合もある。
【００３９】
続いて、ステップＳ１０２では、第１のＰＣ１０のコマンド判定部１３において、ステップＳ１０１で受信したコマンドがどのようなものであるかを判定する。この判定の結果、ステップＳ１０１で受信したコマンドがオペレーションシステムの電源のオフであると判定された場合には、ステップＳ１０３に進み、また、ステップＳ１０１で受信したコマンドがオペレーションシステムの電源のサスペンドであると判定された場合には、ステップＳ１０７に進み、また、ステップＳ１０１で受信したコマンドが立ちあがっているアプリケーションを閉じるものであると判定された場合には、ステップＳ１１１に進む。
【００４０】
ステップＳ１０２での判定の結果、受信したコマンドが電源のサスペンドであると判定された場合には、続いて、ステップＳ１０３において、アプリケーションが接続しているＤＶＣ４０の電源のオフにおけるメッセージを表示して、ユーザからＤＶＣ４０の電源のオフが選択されたか否かを判定する。
【００４１】
この判定の結果、ユーザからＤＶＣ４０の電源のオフが選択されたと判定された場合には、ステップＳ１０４に進む。一方、ステップＳ１０３の判定の結果、ユーザからＤＶＣ４０の電源のオフが選択されなかったと判定された場合には、ステップＳ１０６に進む。
【００４２】
続いて、ステップＳ１０４では、第１のＰＣ１０のコマンド送信部１４において、自機器の電源をオフする前に、ＵＳＢ５０で接続されているＤＶＣ４０に対して電源オフのコマンドを送信する。
【００４３】
続いて、ステップＳ１０５では、第１のＰＣ１０の電源制御部１５において、ＤＶＣ４０の電源状態がオフされているか否かを判定する。ここで、電源オフのコマンドを受信したＤＶＣ４０は、電源をオフする前に、第１のＰＣ１０に対して電源をオフすることを割り込み通知する。なお、この割り込み通知のパケット構成の一例を図８に示す。
【００４４】
ステップＳ１０５での判定の結果、ＤＶＣ４０の電源状態がオフされていると判定された場合には、ステップＳ１０６に進む。一方、ステップＳ１０５での判定の結果、ＤＶＣ４０の電源状態がオフされていないと判定された場合には、ＤＶＣ４０の電源状態がオフされるまでステップＳ１０５で待機する。
【００４５】
続いて、ステップＳ１０６では、割り込み通知を受信した第１のＰＣ１０の電源制御部１５において、自機器の電源部１１をオフする。
【００４６】
また、ステップＳ１０２での判定の結果、受信したコマンドが電源のサスペンドであると判定された場合には、続いて、ステップＳ１０７において、アプリケーションが接続しているＤＶＣ４０の電源のサスペンドにおけるメッセージを表示して、ユーザからＤＶＣ４０の電源のサスペンドが選択されたか否かを判定する。この判定の結果、ユーザからＤＶＣ４０の電源のサスペンドが選択されたと判定された場合には、ステップＳ１０８に進む。一方、ステップＳ１０７の判定の結果、ユーザからＤＶＣ４０の電源のサスペンドが選択されなかったと判定された場合には、ステップＳ１１０に進む。
【００４７】
続いて、ステップＳ１０８では、第１のＰＣ１０のコマンド送信部１４において、自機器の電源をオフする前に、ＵＳＢ５０で接続されているＤＶＣ４０に対して電源サスペンドのコマンドを送信する。
【００４８】
続いて、ステップＳ１０９では、第１のＰＣ１０の電源制御部１５において、ＤＶＣ４０の電源状態がサスペンドされているか否かを判定する。ここで、電源サスペンドのコマンドを受信したＤＶＣ４０は、電源をサスペンドする前に、第１のＰＣ１０に対して電源をサスペンドすることを割り込み通知する。
【００４９】
ステップＳ１０９での判定の結果、ＤＶＣ４０の電源状態がサスペンドされていると判定された場合には、ステップＳ１１０に進む。一方、ステップＳ１０９での判定の結果、ＤＶＣ４０の電源状態がサスペンドされていないと判定された場合には、ＤＶＣ４０の電源状態がサスペンドされるまでステップＳ１０９で待機する。
【００５０】
続いて、ステップＳ１１０では、割り込み通知を受信した第１のＰＣ１０の電源制御部１５において、自機器の電源部１１をオフする。
【００５１】
また、ステップＳ１０２での判定の結果、ステップＳ１０１で受信したコマンドが立ちあがっているアプリケーションを閉じるものであると判定された場合には、続いて、ステップＳ１１１において、アプリケーションが接続しているＤＶＣ４０の電源状態を選択させるメッセージを表示して、ユーザが選択した電源状態を判定する。
【００５２】
この判定の結果、ユーザからＤＶＣ４０の電源のオフが選択されたと判定された場合には、ステップＳ１１２に進む。また、ステップＳ１１１での判定の結果、ユーザからＤＶＣ４０の電源のサスペンドが選択されたと判定された場合には、ステップＳ１１４に進む。さらに、ステップＳ１１１での判定の結果、ユーザからＤＶＣ４０の電源のオンが選択されたと判定された場合には、ステップＳ１１６に進む。
【００５３】
ステップＳ１１１の判定の結果、ユーザからＤＶＣ４０の電源のオフが選択されたと判定された場合には、続いて、ステップＳ１１２では、第１のＰＣ１０のコマンド送信部１４において、自機器の電源をオフする前に、ＵＳＢ５０で接続されているＤＶＣ４０に対して電源オフのコマンドを送信する。
【００５４】
続いて、ステップＳ１１３では、第１のＰＣ１０の電源制御部１５において、ＤＶＣ４０の電源状態がオフされているか否かを判定する。ここで、電源オフのコマンドを受信したＤＶＣ４０は、電源をオフする前に、第１のＰＣ１０に対して電源をオフすることを割り込み通知する。
【００５５】
ステップＳ１１３の判定の結果、ＤＶＣ４０の電源状態がオフされていると判定された場合には、ステップＳ１１６に進む。一方、ステップＳ１１３での判定の結果、ＤＶＣ４０の電源状態がオフされていないと判定された場合には、ＤＶＣ４０の電源状態がオフされるまでステップＳ１１３で待機する。
【００５６】
ステップＳ１１１の判定の結果、ユーザからＤＶＣ４０の電源のサスペンドが選択されたと判定された場合には、続いて、ステップＳ１１４では、第１のＰＣ１０のコマンド送信部１４において、自機器の電源をオフする前に、ＵＳＢ５０で接続されているＤＶＣ４０に対して電源サスペンドのコマンドを送信する。
【００５７】
続いて、ステップＳ１１５では、第１のＰＣ１０の電源制御部１５において、ＤＶＣ４０の電源状態がサスペンドされているか否かを判定する。ここで、電源サスペンドのコマンドを受信したＤＶＣ４０は、電源をサスペンドする前に、第１のＰＣ１０に対して電源をサスペンドすることを割り込み通知する。
【００５８】
ステップＳ１１５での判定の結果、ＤＶＣ４０の電源状態がサスペンドされていると判定された場合には、ステップＳ１１６に進む。一方、ステップＳ１１５での判定の結果、ＤＶＣ４０の電源状態がサスペンドされていないと判定された場合には、ＤＶＣ４０の電源状態がサスペンドされるまでステップＳ１１５で待機する。
【００５９】
続いて、ステップＳ１１６では、第１のＰＣ１０において、実行中のアプリケーションを閉じる。続いて、ステップ１１７では、割り込み通知を受信した第１のＰＣ１０の電源制御部１５において、自機器の電源部１１をオフする。なお、本実施形態においては、ステップＳ１０２での判定の結果、実行中のアプリケーションを閉じるコマンドを受信した場合に自機器の電源部１１をオフする形態を示すが、必ずしも電源のオフである必要はなく他の電源状態であってもよい。
【００６０】
第２の実施形態の電源制御システムによれば、ユーザから第１のＰＣ１０（制御装置）の電源オフの命令を与えられたら、上記ＤＶＣ４０の電源をオフしてから自機器の電源をオフすることができる。また、ユーザから第１のＰＣ１０（制御装置）のサスペンドの命令を与えられたら、上記ＤＶＣ４０の電源をサスペンドしてから自機器の電源をサスペンドすることができる。さらに、ユーザから第１のＰＣ１０（制御装置）の立ちあがっているアプリケーションを閉じる命令を与えられたら、上記ＤＶＣ４０の電源をオフまたはサスペンドしてから自機器の電源をオフすることができる。
【００６１】
（本発明に係る他の実施形態）
上述した第１の実施形態及び第２の実施形態における電源制御システムを構成する各手段、並びに電源制御システムにおける電源制御方法の各ステップ（図５のステップＳ００１〜ステップＳ０１２、図６のステップＳ１０１〜ステップＳ１１６）は、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００６２】
具体的に、上記プログラムは、例えばＣＤ−ＲＯＭのような記録媒体に記録し、或いは各種伝送媒体を介し、コンピュータに提供される。上記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、上記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００６３】
また、コンピュータが供給されたプログラムを実行することにより上述した第１及び第２の実施形態における各機能が実現されるだけでなく、そのプログラムがコンピュータにおいて稼働しているＯＳ（オペレーティングシステム）或いは他のアプリケーションソフト等と共同して上述した第１及び第２の実施形態における各機能が実現される場合や、供給されたプログラムの処理の全て或いは一部がコンピュータの機能拡張ボードや機能拡張ユニットにより行われて上述した第１及び第２の実施形態における各機能が実現される場合も、かかるプログラムは本発明に含まれる。
【図面の簡単な説明】
【００６４】
【図１】第１の実施形態における電源制御システムの一例を示す概略構成図である。
【図２】第１の実施形態における第１のＰＣ（制御装置）の概略構成を示すブロック図である。
【図３】第２のＰＣで実行されるアプリケーションのグラフィカルユーザインターフェースの一例を示す図である。
【図４】第１のＰＣで実行されるアプリケーションのグラフィカルユーザインターフェースの一例を示す図である。
【図５】第１の実施形態における電源制御システムの動作手順を示すフローチャートである。
【図６】第２の実施形態における電源制御システムの動作手順を示すフローチャートである。
【図７】電源制御コマンドの一例を示す図である。
【図８】電源制御完了の割り込み通知のパケット構成の一例を示す図である。
【符号の説明】
【００６５】
１０  第１のパーソナルコンピュータ
２０  第２のパーソナルコンピュータ
３０  インターネット
４０  デジタルビデオカメラ
５０  ＵＳＢ
【図１】
2005354518.tif 000003
【図２】
2005354518.tif 000004
【図３】
2005354518.tif 000005
【図４】
2005354518.tif 000006
【図５】
2005354518.tif 000007
【図６】
2005354518.tif 000008
【図７】
2005354518.tif 000009
【図８】
2005354518.tif 000010